(57)【要約】      （修正有）【課題】異なるプリセットアセンブリ或いは器具に合わせて異なる運動器具セットになり、更に、使用者は簡単に組み立てた後に運動の方式を変更することができるハンドル運動器具及び運動器具セットを提供する。【解決手段】ハンドル運動器具２００は、ハンドル本体２１０と、ハンドル本体２１０の軸方向に沿ってハンドル本体２１０内に設けられて、ハンドル本体２１０の一端に向かう開口２２２を有するチャンバーと、チャンバー内に設けられ、開口２２２からチャンバーに挿入されるプリセットアセンブリと係合可能な係合部と、係合部に接続されるようにハンドル本体２１０の頂面２１４に設けられて、係合部及びプリセットアセンブリが係合している状態を解除可能な着脱ボタン２４０と、軸方向に沿って平行に並ぶように、ハンドル本体２１０の底面に位置する２つのメスバックルと、を備える。【選択図】図２Ａ
0003215130.tif 000002
【実用新案登録請求の範囲】
【請求項１】
運動器具であるプリセットアセンブリに用いられるハンドル運動器具において、
ハンドル本体と、
前記ハンドル本体の軸方向に沿って前記ハンドル本体内に設けられており、前記ハンドル本体の一端に向かう開口を有するチャンバーと、
前記チャンバー内に設けられており、前記開口から前記チャンバーに挿入される前記プリセットアセンブリと係合可能な係合部と、
前記係合部に接続されるように前記ハンドル本体の頂面に設けられており、前記係合部及び前記プリセットアセンブリが係合している状態を解除可能な着脱ボタンと、
前記軸方向に沿って平行に並ぶように、前記ハンドル本体の底面に位置する２つのメスバックルと、
を備えるハンドル運動器具。
【請求項２】
前記メスバックルの間の距離は、手のひらより大きい請求項１に記載のハンドル運動器具。
【請求項３】
中央貫通穴を有し、回転可能なローラ運動器具と、
前記ローラ運動器具の前記中央貫通穴を通り抜け、２つのスナップリングが設けられており、且つ、両端に２つの挿入部材が形成される接続ロッドと、
ハンドル本体と、前記ハンドル本体の軸方向に沿って前記ハンドル本体内に設けられて、前記ハンドル本体の一端に向かう開口を有するチャンバーと、前記チャンバー内に設けられて、前記スナップリングと係合可能な係合部と、前記係合部に接続されるように前記ハンドル本体の頂面に設けられており、前記係合部及び前記スナップリングが係合している状態を解除可能な着脱ボタンと、前記軸方向に沿って平行に並ぶように、前記ハンドル本体の底面に位置する２つのメスバックルと、をそれぞれ有する第１ハンドル運動器具及び第２ハンドル運動器具と、
を備え、
前記挿入部材は、個別に前記第１ハンドル運動器具の前記チャンバー及び前記第２ハンドル運動器具の前記チャンバーに挿入されており、
前記スナップリングは、個別に前記第１ハンドル運動器具の前記係合部及び前記第２ハンドル運動器具の前記係合部により係合されていて、組み合わせられた前記ローラ運動器具、前記接続ロッド、前記第１ハンドル運動器具及び前記第２ハンドル運動器具は、ローラ運動操作に用いる運動器具セット。
【請求項４】
前記第１ハンドル運動器具の前記着脱ボタンが押されたとき、前記第１ハンドル運動器具と前記第１ハンドル運動器具に係合されている前記スナップリングが外れ、
前記第２ハンドル運動器具の前記着脱ボタンが押されたとき、前記第２ハンドル運動器具と前記第２ハンドル運動器具に係合されている前記スナップリングが外れる請求項３に記載の運動器具セット。
【請求項５】
Ｕ字形状であり、且つ、それぞれの両端に互いに整列する２つの貫通穴が設けられる第１ハンドルセット及び第２ハンドルセットと、
一端が前記第１ハンドルセットに接続されており、他端が前記第２ハンドルセットに接続されている弾性ロープと、
底部に複数の位置決め柱が設けられる膝パッドと、
をさらに備え、
前記第１ハンドル運動器具の前記ハンドル本体は、前記第１ハンドルセットの前記貫通穴を通り抜け、
前記第２ハンドル運動器具の前記ハンドル本体は、前記第２ハンドルセットの前記貫通穴を通り抜け、
前記弾性ロープは、前記位置決め柱に巻回されている請求項３に記載の運動器具セット。
【請求項６】
ハンドル本体と、前記ハンドル本体の軸方向に沿って前記ハンドル本体内に設けられて、前記ハンドル本体の一端に向かう開口を有するチャンバーと、前記チャンバー内に設けられ、前記開口から前記チャンバーに挿入される挿入部材と係合可能な係合部と、前記係合部に接続されるように前記ハンドル本体の頂面に設けられ、前記係合部及び前記挿入部材が係合している状態を解除可能な着脱ボタンと、前記軸方向に沿って平行に並ぶように、前記ハンドル本体の底面に位置する２つのメスバックルと、を有するハンドル運動器具と、
回転盤頂面と、前記回転盤頂面の法線方向に沿って延出するように前記回転盤頂面に設けられ、前記メスバックルに合わせる２つのオスバックルが頂部に設けられる２つのサポートシートと、を有する回転盤装置と、
を備え、
前記オスバックルが前記メスバックルに係合されたとき、前記回転盤装置及び前記ハンドル運動器具により、腕立て伏せ操作が可能な状態になる運動器具セット。
【請求項７】
前記ハンドル運動器具は、前記回転盤装置の回転回数を検出可能なセンサを有する請求項６に記載の運動器具セット。
【請求項８】
両端にそれぞれ設けられる挿入部材及び前記挿入部材のそれぞれに設けられる２つのスナップリングを有するロープと、
ハンドル本体と、前記ハンドル本体の軸方向に沿って前記ハンドル本体内に設けられて、前記ハンドル本体の一端に向かう開口を有するチャンバーと、前記チャンバー内に設けられ、前記挿入部材と係合可能な係合部と、前記係合部に接続されるように前記ハンドル本体の頂面に設けられて、前記係合部及び前記挿入部材が係合している状態を解除可能な着脱ボタンと、前記軸方向に沿って平行に並ぶように、前記ハンドル本体の底面に位置する２つのメスバックルと、をそれぞれ有する第１ハンドル運動器具及び第２ハンドル運動器具と、
を備え、
前記挿入部材は、個別に前記第１ハンドル運動器具の前記チャンバー及び前記第２ハンドル運動器具の前記チャンバーに挿入されており、
前記スナップリングは、個別に前記第１ハンドル運動器具の前記係合部及び前記第２ハンドル運動器具の前記係合部により係合されていて、組み合わせられ前記たロープ、前記第１ハンドル運動器具及び前記第２ハンドル運動器具は、縄跳び操作に用いる運動器具セット。
【請求項９】
前記第１ハンドル運動器具又は前記第２ハンドル運動器具は、前記ロープの回転回数を検出可能なセンサを有する請求項８に記載の運動器具セット。
【請求項１０】
Ｕ字形状であり、且つそれぞれの両端に互いに整列する２つの貫通穴が設けられる第１ハンドルセット及び第２ハンドルセットと、
一端が前記第１ハンドルセットに接続されており、他端が前記第２ハンドルセットに接続されている弾性ロープと、
ハンドル本体と、前記ハンドル本体の軸方向に沿って前記ハンドル本体内に設けられて、前記ハンドル本体の一端に向かう開口を有するチャンバーと、前記チャンバー内に設けられ、前記第１ハンドルセット及び前記第２ハンドルセットと係合可能な係合部と、前記係合部に接続されるように前記ハンドル本体の頂面に設けられて、前記係合部及び前記第１ハンドルセットが係合している状態又は前記係合部及び前記第２ハンドルセットが係合している状態を解除可能な着脱ボタンと、前記軸方向に沿って平行に並ぶように、前記ハンドル本体の底面に位置する２つのメスバックルと、をそれぞれ有する第１ハンドル運動器具及び第２ハンドル運動器具と、
を備え、
前記第１ハンドル運動器具の前記ハンドル本体は、前記第１ハンドルセットの前記貫通穴を通り抜け、
前記第２ハンドル運動器具の前記ハンドル本体は、前記第２ハンドルセットの前記貫通穴を通り抜け、
組み合わせられた前記第１ハンドルセット、前記第２ハンドルセット、前記弾性ロープ、前記第１ハンドル運動器具及び前記第２ハンドル運動器具は、プルロープを形成する運動器具セット。
【請求項１１】
運動器具であるプリセットアセンブリに用いられるハンドル運動器具において、
ハンドル本体と、
前記ハンドル本体の軸方向に沿って前記ハンドル本体内に設けられており、前記ハンドル本体の一端に向かう開口を有する収納空間と、
前記収納空間内に設けられており、前記開口から前記収納空間に挿入される前記プリセットアセンブリを係止可能な係止部と、
前記ハンドル本体の一方の端部の近くに、前記ハンドル本体の底面に位置するメスバックルと、
を備えるハンドル運動器具。
【請求項１２】
前記係止部は、前記開口から前記収納空間に挿入される前記プリセットアセンブリと係合可能な係合部を有する請求項１１に記載のハンドル運動器具。
【請求項１３】
前記ハンドル本体の頂面に設けられており、前記係合部と前記プリセットアセンブリとが係合している状態を解除可能な着脱ボタンを更に備える請求項１２に記載のハンドル運動器具。
【請求項１４】
前記係止部は、前記ハンドル本体の他端に設けられる内部スレッドセグメントを有する請求項１１に記載のハンドル運動器具。
【請求項１５】
前記収納空間は、チャンバー又は貫通穴である請求項１１に記載のハンドル運動器具。
【考案の詳細な説明】
【技術分野】
【０００１】
本考案は、ハンドル運動器具、及び、それを含む運動器具セットに関する。
【背景技術】
【０００２】
近年、運動の習慣が盛んになるにつれて、様々な運動器具が市販されるようになった。その中で、消費者に購入させるように新規な運動形態を与える運動器具は、かなりある。
【考案の概要】
【考案が解決しようとする課題】
【０００３】
しかし、普通のこれらの運動器具により提供された動作操作の制限性が高いため、使用者は、一般的に、それによって僅かの動作のみをする。これにより、少ない変更性及び面白さしか提供されない。
【０００４】
腕立て伏せ器具を例とする。一般的に、腕立て伏せ器具は、一体形成された支持フレーム（又は回転盤）及び支持フレーム（又は回転盤）に接続されるハンドル部を備える。支持フレームは、床板に立てられることに用いられる。ハンドルは、使用者に握られ、支持フレーム（又は回転盤）を介して床板を押す。ハンドルにより床板が押されたとき、腕立て伏せの動作がされる。また、従来の腕立て伏せ器具では、使用者は、他の動作をしにくい。このため、多種多様の運動形態を提供することができない。そして、長時間、使用されると、使用者は、運動形態が面白くないことで、運動の意志が低下する懸念がある。
【０００５】
また、よく見られる腹部ホイールを例とする。一般的に、腹部ホイールは、２つのハンドル及びその間で回転可能に接続されているローラを備える。使用者は、両手でハンドルを握って、立ち姿又は跪き姿の状態で腹部ホイールを推し出して引き戻す。これにより、ボディビルディングの目的を達成することができる。しかし、従来の腹部ホイールでは、同様に使用者は、他の動作がしにくい。このため、上記と同様に、多種多様の運動形態を提供することができない。
【０００６】
このため、当業者にとって、低い制限性及び高い面白さを与える運動器具を如何に設計するかが重要な問題となる。
【０００７】
これに鑑みて、本考案は、異なるプリセットアセンブリ或いは器具に合わせて異なる運動器具セットになり、更に、使用者は簡単に組み立てた後に運動の方式を変更することができるハンドル運動器具及び運動器具セットを提供することを目的とする。
【課題を解決するための手段】
【０００８】
本考案は、運動器具であるプリセットアセンブリに用いられるハンドル運動器具である。
ハンドル本体と、ハンドル本体の軸方向に沿ってハンドル本体内に設けられており、ハンドル本体の一端に向かう開口を有するチャンバーと、チャンバー内に設けられ、開口からチャンバーに挿入されるプリセットアセンブリと係合可能な係合部と、係合部に接続されるようにハンドル本体の頂面に設けられており、係合部及びプリセットアセンブリが係合している状態を解除可能な着脱ボタンと、軸方向に沿って平行に並べるように、ハンドル本体の底面に位置する２つのメスバックルと、を備えるハンドル運動器具を提供する。このように、本考案のハンドル運動器具は、多くの変更性を提供する前提で、使用者の運動意志を効果的に向上させて、使用者の運動効果を改善することができる。
【０００９】
本考案のハンドル運動器具では、メスバックルの間の距離は、手のひらより大きい。
【００１０】
本考案の運動器具セットは、中央貫通穴を有し、回転可能なローラ運動器具と、ローラ運動器具の中央貫通穴を通り抜け、２つのスナップリングが設けられており、且つ、両端に２つの挿入部材が形成される接続ロッドと、第１ハンドル運動器具及び第２ハンドル運動器具と、を備える。
第１ハンドル運動器具及び第２ハンドル運動器具は、ハンドル本体と、ハンドル本体の軸方向に沿ってハンドル本体内に設けられて、ハンドル本体の一端に向かう開口を有するチャンバーと、チャンバー内に設けられて、スナップリングと係合可能な係合部と、係合部に接続されるようにハンドル本体の頂面に設けられて、係合部及びスナップリングが係合している状態を解除可能な着脱ボタンと、軸方向に沿って平行に並ぶように、ハンドル本体の底面に位置する２つのメスバックルと、をそれぞれ有する
挿入部材は、個別に第１ハンドル運動器具のチャンバー及び第２ハンドル運動器具のチャンバーに挿入されている。
スナップリングは、個別に第１ハンドル運動器具の係合部及び第２ハンドル運動器具の係合部により係合されている。これによって、組み合わせられたローラ運動器具、接続ロッド、第１ハンドル運動器具及び第２ハンドル運動器具は、ローラ運動操作に好適に用いることができる。
【００１１】
本考案の運動器具セットでは、第１ハンドル運動器具の着脱ボタンが押されたとき、第１ハンドル運動器具と第１ハンドル運動器具に係合されているスナップリングが外れ、第２ハンドル運動器具の着脱ボタンが押されたとき、第２ハンドル運動器具と第２ハンドル運動器具に係合されているスナップリングが外れる。
【００１２】
本考案の運動器具セットは、Ｕ字形状であり、且つそれぞれの両端に互いに整列する２つの貫通穴が設けられる第１ハンドルセット及び第２ハンドルセットと、一端が第１ハンドルセットに接続されており、他端が第２ハンドルセットに接続されている弾性ロープと、底部に複数の位置決め柱が設けられる膝パッドと、を更に備える。
第１ハンドル運動器具のハンドル本体は、第１ハンドルセットの前記貫通穴を通り抜ける。第２ハンドル運動器具のハンドル本体は、第２ハンドルセットの前記貫通穴を通り抜ける。弾性ロープは、前記位置決め柱に巻回されている。
【００１３】
本考案の運動器具セットは、ハンドル運動器具と回転盤装置を備える。
ハンドル運動器具は、ハンドル本体と、ハンドル本体の軸方向に沿ってハンドル本体内に設けられて、ハンドル本体の一端に向かう開口を有するチャンバーと、チャンバー内に設けられ、開口からチャンバーに挿入される挿入部材と係合可能な係合部と、係合部に接続されるようにハンドル本体の頂面に設けられ、係合部及び挿入部材が係合している状態を解除可能な着脱ボタンと、軸方向に沿って平行に並ぶように、ハンドル本体の底面に位置する２つのメスバックルと、を有する。
回転盤装置は、頂面と、頂面の法線方向に沿って延出するように頂面に設けられ、ハンドル運動器具の前記メスバックルに合わせる２つのオスバックルが頂部に設けられる２つのサポートシートと、を有する。
オスバックルがメスバックルに係合されたとき、回転盤装置及びハンドル運動器具により、腕立て伏せ操作が可能な状態になる。
【００１４】
本考案の運動器具セットでは、ハンドル運動器具は、回転盤装置の回転回数を検出可能なセンサが設けられる。
【００１５】
本考案の運転器具セットは、両端にそれぞれ設けられる挿入部材及び前記挿入部材のそれぞれに設けられるスナップリングを有するロープと、第１ハンドル運動器具及び第２ハンドル運動器具と、を備える。
第１ハンドル運動器具及び第２ハンドル運動器具は、ハンドル本体と、ハンドル本体の軸方向に沿ってハンドル本体内に設けられて、ハンドル本体の一端に向かう開口を有するチャンバーと、チャンバー内に設けられ、挿入部材と係合可能な係合部と、係合部に接続されるようにハンドル本体の頂面に設けられて、係合部及び挿入部材が係合している状態を解除可能な着脱ボタンと、軸方向に沿って平行に並ぶように、ハンドル本体の底面に位置する２つのメスバックルと、をそれぞれ有する。
挿入部材は、個別に第１ハンドル運動器具のチャンバー及び第２ハンドル運動器具のチャンバーに挿入されており、
スナップリングは、個別に第１ハンドル運動器具の係合部及び第２ハンドル運動器具の前記係合部により係合されている。組み合わせられたロープ、第１ハンドル運動器具及び第２ハンドル運動器具は、縄跳び操作に好適に用いることができる。
【００１６】
本考案の運動器具セットでは、第１ハンドル運動器具又は第２ハンドル運動器具は、ロープの回転回数を検出可能なセンサが設けられる。
【００１７】
本考案の運転器具セットは、Ｕ字形状であり、且つ、それぞれの両端に互いに整列する２つの貫通穴が設けられる第１ハンドルセット及び第２ハンドルセットと、一端が第１ハンドルセットに接続されており、他端が第２ハンドルセットに接続されている弾性ロープと、第１ハンドル運動器具及び第２ハンドル運動器具と、を備える。
第１ハンドル運動器具及び第２ハンドル運動器具は、ハンドル本体と、ハンドル本体の軸方向に沿ってハンドル本体内に設けられて、ハンドル本体の一端に向かう開口を有するチャンバーと、チャンバー内に設けられ、第１ハンドルセット及び第２ハンドルセットと係合可能な係合部と、係合部に接続されるようにハンドル本体の頂面に設けられて、係合部及び第１ハンドルセットが係合している状態又は係合部及び第２ハンドルセットが係合している状態を解除可能な着脱ボタンと、軸方向に沿って平行に並ぶように、ハンドル本体の底面に位置する２つのメスバックルと、をそれぞれ有する。
第１ハンドル運動器具のハンドル本体は、第１ハンドルセットの前記貫通穴を通り抜け、第２ハンドル運動器具のハンドル本体は、第２ハンドルセットの前記貫通穴を通り抜け、組み合わせられた第１ハンドルセット、第２ハンドルセット、弾性ロープ、第１ハンドル運動器具及び第２ハンドル運動器具はプルロープを形成する。
【００１８】
本考案は、運動器具であるプリセットアセンブリに用いられるハンドル運動器具である。
ハンドル運動器具は、ハンドル本体と、ハンドル本体の軸方向に沿ってハンドル本体内に設けられており、ハンドル本体の一端に向かう開口を有する収納空間と、収納空間内に設けられており、開口から収納空間に挿入されるプリセットアセンブリを係止可能な係止部と、ハンドル本体の一方の端部の近くに、ハンドル本体の底面に位置するメスバックルと、を備える。
【００１９】
本考案の運動器具セットでは、係止部は、開口から収納空間に挿入されるプリセットアセンブリを係合可能な係合部を含む。
【００２０】
本考案の運動器具セットでは、ハンドル運動器具は、ハンドル本体の頂面に設けられており、係合部とプリセットアセンブリとが係合している状態を解除可能な着脱ボタンを更に備える。
【００２１】
本考案の運動器具セットでは、係止部は、ハンドル本体の他端に設けられる内部スレッドセグメントを有する。
【００２２】
本考案の運動器具セットでは、収納空間は、チャンバー又は貫通穴である。
【図面の簡単な説明】
【００２３】
【図１Ａ】本考案の第１実施形態による第１ローラ運動器具を示す上面図である。
【図１Ｂ】図１Ａによる第１ローラ運動器具を示す斜視図である。
【図１Ｃ】図１Ａによる第１ローラ運動器具を示す側面図である。
【図２Ａ】本考案の第２実施形態によるハンドル運動器具を示す斜視図である。
【図２Ｂ】図２Ａによるハンドル運動器具を示す側面図である。
【図２Ｃ】図２Ａによるハンドル運動器具を示す正面図である。
【図３Ａ】本考案の第３実施形態による第１ローラ運動器具とその他のプリセットアセンブリを運動器具に組み合わせる様子の模式図である。
【図３Ｂ】図３Ａの運動器具を示す側面図である。
【図３Ｃ】図３Ａによる組み合わせられた運動器具を示す模式図である。
【図４Ａ】本考案の第４実施形態によるローラ運動器具セットを組み立てる上面図である。
【図４Ｂ】図４ＡのＡ−Ａ線分に沿う側面断面図である。
【図４Ｃ】図４Ａによる組み立てられたローラ運動器具セットを示す斜視図である。
【図５Ａ】本考案の第５実施形態による運動器具セットを組み立てる様子の模式図である。
【図５Ｂ】図５Ａによる組み立てられた運動器具セットを示す模式図である。
【図６Ａ】本考案の第６実施形態によるローラ運動器具セットを示す正面図である。
【図６Ｂ】図６Ａによるローラ運動器具セットを示す側面図である。
【図７Ａ】本考案の第７実施形態による運動器具セットを示す上面図である。
【図７Ｂ】図７Ａによる運動器具セットを示す側面図である。
【図７Ｃ】図７Ａによる運動器具セットを示す底面図である。
【図８Ａ】本考案の第８実施形態による運動器具セットを組み立てる様子の模式図である。
【図８Ｂ】図８Ａによるハンドル組立を示す模式図である。
【図８Ｃ】図８Ａによる組み立てられた運動器具セットを示す模式図である。
【図９Ａ】本考案の第９実施形態によるハンドル運動器具を示す模式図である。
【図９Ｂ】図９Ａによるハンドル運動器具を示す側面断面図である。
【図９Ｃ】図３Ａ、図３Ｂ、図３Ｃ及び図９Ａによる運動器具を示す模式図である。
【図９Ｄ】図１Ｂ及び図９Ａによる運動器具を示す模式図である。
【図１０】図９Ａによるハンドル運動器具及び接続ロッドを示す側面断面図である。
【考案を実施するための形態】
【００２４】
以下、図面で本考案の複数の実施形態を説明する。明らかに説明するために、下記で多くの実際の細部を合わせて説明する。しかし、理解すべきなのは、これらの実際の細部が、本考案を制限するためのものではない。つまり、本考案の実施形態の一部において、これらの実際の細部は、必ずしも必要ではない。また、図面を簡略化するために、ある従来慣用の構造及び部位については、図面において簡単で模式的に示される。重複する部位は、同じ番号で示される。
【００２５】
（第１実施形態）
図１Ａ、図１Ｂ及び図１Ｃを参照して説明する。図１Ａは、本考案の一実施形態による第１ローラ運動器具１００を示す上面図である。図１Ｂは、図１Ａによる第１ローラ運動器具１００を示す斜視図である。図１Ｃは、図１Ａによる第１ローラ運動器具１００を示す側面図である。本実施形態において、第１ローラ運動器具１００がプリセットアセンブリに合わせて多種多様の運動器具に組み合わせることができるので、使用者は、多種多様の運動操作を行わせることができる。以下で詳しく説明する。
【００２６】
図１Ａ、図１Ｂ及び図１Ｃに示すように、第１ローラ運動器具１００は、ベース１１０と、回転盤装置としての回転盤１２０と、サポートシート１３０ａと、サポートシート１３０ｂと、メスバックル１４０ａと、メスバックル１４０ｂと、を備える。ベース１１０は、第１中央貫通穴１１２を有する。回転盤１２０は、回転可能にベース１１０に接続されており、且つ、第２中央貫通穴１２２、第１直径Ｄ１及び第２直径Ｄ２を有する。第１直径Ｄ１は、第２直径Ｄ２に垂直であり、第２中央貫通穴１２２は、第１中央貫通穴１１２に対応する。サポートシート１３０ａ及びサポートシート１３０ｂは、回転盤頂面としての回転盤１２０の頂面１２４の法線方向Ｎ１に沿って延出するように、それぞれ第１直径Ｄ１の両端に設けられている。サポートシート１３０ａ及びサポートシート１３０ｂの頂部にそれぞれオスバックル１３２ａ及びオスバックル１３２ｂが設けられる。メスバックル１４０ａ及びメスバックル１４０ｂは、それぞれ回転盤１２０の頂面１２４に凹むように、第２直径Ｄ２の両端に設けられており、オスバックル１３２ａ及びオスバックル１３２ｂに合わせる。メスバックル１４０ａ、メスバックル１４０ｂ、オスバックル１３２ａ及びオスバックル１３２ｂによって取り外し可能にプリセットアセンブリは、安定して接続される。
【００２７】
一実施形態において、オスバックル１３２ａ及びオスバックル１３２ｂは、オスバックル部材であってよく、サポートシート１３０ａ（又はサポートシート１３０ｂ）に、サポートシート１３０ａの係合状態を解除可能な解除ボタン１３４が設けられてよい。なお、サポートシート１３０ａとサポートシート１３０ｂとの間に踏み部１５０を形成するように、サポートシート１３０ａ及びサポートシート１３０ｂは、互いにプリセット距離ＤＤが設けられてもよい。また、ベース１１０の底面１１４に少なくとも２つの位置決め溝１１４ａが設けられ、且つ、位置決め溝１１４ａが底面１１４の直径の両端に位置する。理解すべきなのは、図１Ｂの視角に限られるので、示した２つの位置決め溝１１４ａの反対側に何れも図示しない位置決め溝がある。
【００２８】
異なる実施形態において、前記プリセットアセンブリは、例えば、下記図２Ａ、図２Ｂ及び図２Ｃに示すハンドル運動器具２００のような、第１ローラ運動器具１００と組み合わせて所定の機能を形成することのできる如何なる運動器具であってよい。
【００２９】
（第２実施形態）
図２Ａ、図２Ｂ及び図２Ｃを参照して説明する。図２Ａは、本考案の一実施形態によるハンドル運動器具２００を示す斜視図である。図２Ｂは、図２Ａによるハンドル運動器具２００を示す側面図である。図２Ｃは、図２Ａによるハンドル運動器具２００を示す正面図である。図２Ａ、図２Ｂ及び図２Ｃに示すように、ハンドル運動器具２００は、ハンドル本体２１０と、チャンバー２２０と、係合部２３０と、着脱ボタン２４０と、メスバックル２５０ａと、メスバックル２５０ｂと、を備える。チャンバー２２０は、ハンドル本体２１０の軸方向２１２に沿ってハンドル本体２１０内に設けられて、ハンドル本体２１０の一端に向かう開口２２２を有する。係合部２３０は、チャンバー２２０内に設けられ、開口２２２からチャンバー２２０に挿入されるその他のプリセットアセンブリと係合可能である。着脱ボタン２４０は、係合部２３０に接続されるようにハンドル本体２１０の頂面２１４に設けられて、係合部２３０の係合状態を解除可能である。メスバックル２５０ａ及びメスバックル２５０ｂは、軸方向２１２に沿って平行に並べるように、ハンドル本体２１０の底面２１６に位置してよい。
【００３０】
一実施形態において、使用者が容易に握るように、メスバックル２５０ａとメスバックル２５０ｂとの間の距離は、手のひらより大きくなってよい。また、メスバックル２５０ａ及びメスバックル２５０ｂは、更に図１Ａの第１ローラ運動器具１００のオスバックル１３２ａ及びオスバックル１３２ｂに合わせてよい。つまり、第１ローラ運動器具１００のオスバックル１３２ａ及びオスバックル１３２ｂは、ハンドル運動器具２００のメスバックル２５０ａ及びメスバックル２５０ｂのそれぞれに係合されることができる。
【００３１】
（第３実施形態）
図３Ａ、図３Ｂ及び図３Ｃを参照して説明する。図３Ａは、本考案の一実施形態による第１ローラ運動器具１００とその他のプリセットアセンブリを運動器具３００’に組み合わせる様子の模式図である。図３Ｂは、図３Ａの運動器具３００’を示す側面図である。図３Ｃは、図３Ａによる組み合わせられた運動器具３００’を示す模式図である。本実施形態において、プリセットアセンブリは、例えば、第２ローラ運動器具１００’、ハンドル３１０ａ、ハンドル３１０ｂ及び接続ロッド３２０を含む。ハンドル３１０ａ及びハンドル３１０ｂは図２Ａに示すハンドル運動器具２００と完全と同じであってもよいが、これに制限されない。
【００３２】
第２ローラ運動器具１００’は、例えば、第１ローラ運動器具１００と完全と同じであってもよい。この場合、第１ローラ運動器具１００と第２ローラ運動器具１００’とを対向させて接合してローラ運動器具３００になるようにする。このようになるように、第１ローラ運動器具１００のオスバックル１３２ａ及びオスバックル１３２ｂが第２ローラ運動器具１００’におけるメスバックル１４０ａ’及びメスバックル１４０ｂ’にそれぞれ係合する。第２ローラ運動器具１００’のオスバックル１３２ａ’が第１ローラ運動器具１００におけるメスバックル１４０ａに係合してよい。
【００３３】
また、接続ロッド３２０は、ローラ運動器具３００における第１ローラ運動器具１００の第１中央貫通穴１１２と第２中央貫通穴１２２、及び第２ローラ運動器具１００’の第１中央貫通穴（図示せず）と第２中央貫通穴（図示せず）を通り抜けることで、ローラ運動器具３００は、接続ロッド３２０に回転可能に接続されてもよい。
【００３４】
一実施形態において、接続ロッド３２０にスナップリング３２２ａ及びスナップリング３２２ｂが設けられてよく、且つ接続ロッド３２０の両端に挿入部材３２４ａ及び挿入部材３２４ｂが形成されてよい。この場合、ハンドル３１０ａ及びハンドル３１０ｂは、接続ロッド３２０の両端にそれぞれ覆設されてもよい。具体的に、接続ロッド３２０の挿入部材３２４ａ及び挿入部材３２４ｂは、ハンドル３１０ａのチャンバー（図示せず）及びハンドル３１０ｂのチャンバー（図示せず）に個別に挿入されてもよい。また、スナップリング３２２ａ及びスナップリング３２２ｂは、個別にハンドル３１０ａの係合部（図示せず）及びハンドル３１０ｂの係合部（図示せず）により係合されてもよい。
【００３５】
このように、組み合わせられたローラ運動器具３００、接続ロッド３２０、ハンドル３１０ａ及びハンドル３１０ｂは、運動器具３００’を形成し、更に、使用者のローラ運動操作に好適に用いることができる。例えば、使用者は、公知の腹部ホイールを操作するような形態によって運動器具３００’を操作してよい。即ち、使用者は、両手でハンドル３１０ａ及びハンドル３１０ｂを握って、且つ立ち姿又は跪き姿の状態で運動器具３００’を推し出して再び引き戻すことで、ボディビルディングの目的を達成させることができる。
【００３６】
一実施形態において、使用者は、ハンドル３１０ａ及びハンドル３１０ｂを接続ロッド３２０から取り外しようとする場合、ハンドル３１０ａ及びハンドル３１０ｂにおける着脱ボタン（図示せず）をそれぞれ押す。更にハンドル３１０ａ及びハンドル３１０ｂにおける係合部（図示せず）に係合されたスナップリング３２２ａ及びスナップリング３２２ｂを解除させてよい。
【００３７】
理解すべきなのは、ローラ運動器具３００は、図３Ａ、図３Ｂ及び図３Ｃに示すハンドル３１０ａ、ハンドル３１０ｂ及び接続ロッド３２０に制限されず、その他のタイプのハンドル及び接続ロッドに合わせて運動器具３００’のような器具に組み合わせてもよい。例として、接続ロッド３２０はローラ運動器具３００を好適に通り抜ける如何なるロッド状物体に置き換えられてもよい。それに対応して、ハンドル３１０ａ及びハンドル３１０ｂはこのロッド状物体の両端に覆設され且つ使用者が好適に握る物体に置き換えられてもよいが、本考案がこれに制限されない。
【００３８】
逆に、ハンドル３１０ａ、ハンドル３１０ｂ及び接続ロッド３２０は、図３Ａ、図３Ｂ及び図３Ｃに示すローラ運動器具３００に制限されず、その他のタイプのローラ運動器具に合わせて運動器具３００’のような器材に組み合わせてもよい。例えば、運動器具３００’は、接続ロッド３２０を通り抜けさせるための中央貫通穴を有する如何なるローラ運動器具に置き換えられてもよい。その後、使用者が握って前記運動操作を行うことに有利になるように、ハンドル３１０ａ及びハンドル３１０ｂは、前記教示に応じて、接続ロッド３２０の両端に覆設されてもよいが、本考案はこれに制限されない。
【００３９】
（第４実施形態）
図４Ａ、図４Ｂ及び図４Ｃを参照して説明する。図４Ａは、本考案の一実施形態によるローラ運動器具セット４００を組み立てる上面図である。図４Ｂは、図４ＡのＡ−Ａ線分に沿う側面断面図である。図４Ｃは、図４Ａによる組み立てられたローラ運動器具セット４００を示す斜視図である。本実施形態において、ローラ運動器具セット４００は、第１ローラ運動器具１００、第２ローラ運動器具１００’、ハンドル３１０ａ及びハンドル３１０ｂを含でよい。前述のように、ハンドル３１０ａ及びハンドル３１０ｂは、図２Ａに示すハンドル運動器具２００と同じであってもよい。この場合、第１ローラ運動器具１００のオスバックル１３２ａ及びオスバックル１３２ｂは、ハンドル運動器具２００のメスバックル２５０ａ及びメスバックル２５０ｂのそれぞれに係合されることができる。このため、ハンドル３１０ａにおけるメスバックル３１２ａ及びメスバックル３１２ｂのそれぞれに係合されることができる。これによって、第１ローラ運動器具１００及びハンドル３１０ａは、運動器具４１０（例えば腕立て伏せ器具）として組み合わせることができる。同様な原理に基づいて、第２ローラ運動器具１００’及びハンドル３１０ｂは、運動器具４２０として組み合わせることもできる。
【００４０】
このように、使用者は、運動器具４１０及び運動器具４２０におけるハンドル３１０ａ及びハンドル３１０ｂを両手でそれぞれ握るだけで、腕立て伏せ操作を行うことができる。また、第１ローラ運動器具１００及び第２ローラ運動器具１００’の何れにも回転盤１２０が設けられるため、使用者は、腕立て伏せをする時に使用者の手首の回転に伴って回転し、更に人間工学に符合する運動モードを提供することができる。
【００４１】
一実施形態において、ハンドル３１０ａには、第１ローラ運動器具１００の回転盤１２０がベース１１０に回転する回数を検出可能なセンサによって、使用者が行われた腕立て伏せ回数を計算されてもよい。
【００４２】
一実施形態において、使用者は、ハンドル３１０ａを第１ローラ運動器具１００から取り外しようとする場合、第１ローラ運動器具１００における解除ボタン１３４を押すことで、オスバックル１３２ａの係合状態を解除するように、ハンドル３１０ａにおけるメスバックル３１２ａを解除してハンドル３１０ａを取り外すことができる。
【００４３】
理解すべきなのは、ハンドル３１０ａ及びハンドル３１０ｂ以外、第１ローラ運動器具１００及び第２ローラ運動器具１００’は、更に、その他のタイプのハンドルに合わせて運動器具４１０及び運動器具４２０と同様な態様として形成することができる。例えば、ハンドル３１０ａ及びハンドル３１０ｂは、メスバックルが設けられるその他のハンドルに置き換えられてもよい。これらのハンドルにおけるメスバックルは、第１ローラ運動器具１００及び第２ローラ運動器具１００’におけるオスバックルに合わせればよい。これだけで、第１ローラ運動器具１００及び第２ローラ運動器具１００’に組み合わせて運動器具４１０及び運動器具４２０と同様な態様として形成する。使用者に前記の腕立て伏せ操作を行わせることができるが、本考案はこれに制限されない。
【００４４】
逆に、第１ローラ運動器具１００及び第２ローラ運動器具１００’以外、ハンドル３１０ａ及びハンドル３１０ｂは、その他のタイプのローラ運動器具に合わせて運動器具４１０及び運動器具４２０と同様な態様として形成してもよい。例えば、第１ローラ運動器具１００及び第２ローラ運動器具１００’は、オスバックルが設けられたローラ運動器具に置き換えられてもよい。これらのローラ運動器具におけるオスバックルは、ハンドル３１０ａ及びハンドル３１０ｂにおけるメスバックルに合わせればよい。これだけで、ハンドル３１０ａ及びハンドル３１０ｂと組み合わせて運動器具４１０及び運動器具４２０と同様な態様として形成する。使用者は前記の腕立て伏せ操作を行わせることができるが、本考案はこれに制限されない。
【００４５】
（第５実施形態）
図５Ａ及び図５Ｂを参照して説明する。図５Ａは、本考案の一実施形態による運動器具セット５００を組み立てる様子の模式図である。図５Ｂは、図５Ａによる組み立てられた運動器具セット５００を示す模式図である。本実施形態において、運動器具セット５００は、ハンドル３１０ａ、ハンドル３１０ｂ、第１ハンドルセット５１０ａ、第２ハンドルセット５１０ｂ及び弾性ロープ５２０を含む。第１ハンドルセット５１０ａは、Ｕ字形状であり、且つそれぞれの両端に貫通穴５１２ａ及び貫通穴５１２ａ’が設けられる。第１ハンドルセット５１０ａにおける貫通穴５１２ａ及び貫通穴５１２ａ’が互いに整列する。第１ハンドルセット５１０ａと第２ハンドルセット５１０ｂとは完全と同じであってよいため、以下、第２ハンドルセット５１０ｂの細部を詳しく説明しない。弾性ロープ５２０の両端がそれぞれ第１ハンドルセット５１０ａと第２ハンドルセット５１０ｂに接続される。
【００４６】
図５Ａに示すように、ハンドル３１０ａのハンドル本体は、第１ハンドルセット５１０ａの貫通穴５１２ａ及び貫通穴５１２ａ’を通り抜けてよい。ハンドル３１０ｂのハンドル本体は、第２ハンドルセット５１０ｂの貫通穴を通り抜けてよい。且つ組み合わせられたハンドル３１０ａ、ハンドル３１０ｂ、第１ハンドルセット５１０ａ、第２ハンドルセット５１０ｂ及び弾性ロープ５２０は図５Ｂに示す運動器具セット５００（例えばプルロープ）を形成することができる。このように、使用者は、運動器具セット５００によって運動することができ、例えば、弾性ロープ５２０を踏み込む場合に、筋肉を鍛える目的を達成させるために、両手でハンドル３１０ａ及びハンドル３１０ｂ等を引き上げる。
【００４７】
（第６実施形態）
図６Ａ及び図６Ｂを参照して説明する。図６Ａは、本考案の一実施形態によるローラ運動器具セット６００を示す正面図である。図６Ｂは、図６Ａによるローラ運動器具セット６００を示す側面図である。本実施形態において、ローラ運動器具セット６００は、第１ローラ運動器具１００、第２ローラ運動器具１００’及びプルロープ６１０を含んでよい。プルロープ６１０は、弾性ロープ６１２、グリップ部６１４ａ及びグリップ部６１４ｂを含む。グリップ部６１４ａ及びグリップ部６１４ｂは、弾性ロープ６１２の両端に接続される。
【００４８】
図６Ａ及び図６Ｂに示すように、プルロープ６１０は図５Ａ及び図５Ｂに示す運動器具セット５００と同じであってもよい。即ち、グリップ部６１４ａはハンドル３１０ａ及び第１ハンドルセット５１０ａにより組み合わせてよく、グリップ部６１４ｂは、ハンドル３１０ｂ及び第２ハンドルセット５１０ｂにより組み合わせてよいが、本考案はこれに制限されない。
【００４９】
本実施形態において、弾性ロープ６１２は、第１ローラ運動器具１００及び第２ローラ運動器具１００’の位置決め溝１１４ａを通過して、更に、示されるローラ運動器具セット６００を形成することができる。
【００５０】
このように、使用者は、両足でそれぞれ第１ローラ運動器具１００の踏み部１５０及び第２ローラ運動器具１００’の踏み部（図示せず）を踏む。且つ、使用者は、両手でグリップ部６１４ａ及びグリップ部６１４ｂを握る場合に、プルロープ６１０を使用しながら、第１ローラ運動器具１００及び第２ローラ運動器具１００’に合わせて腰を振る運動を行い、更に運動の変更性を増加することができる。なお、一実施形態において、使用者は、第１ローラ運動器具１００及び第２ローラ運動器具１００’を踏んで腰を振る運動を行うこともできる。
【００５１】
注意する必要があるのは、第１ローラ運動器具１００及び第２ローラ運動器具１００’は、その他のタイプのプルロープに合わせてローラ運動器具セット６００のような器材に組み合わせてもよいが、図６Ａ及び図６Ｂに示すプルロープ６１０に制限されない。例えば、プルロープ６１０は、ハンドル及び弾性ロープを有する公知の如何なるプルロープに置き換えられてもよいが、本考案はこれに制限されない。
【００５２】
逆に、プルロープ６１０は、その他のタイプの回転盤に合わせてローラ運動器具セット６００のような器材に組み合わせてもよいが、図６Ａ及び図６Ｂに示す第１ローラ運動器具１００及び第２ローラ運動器具１００’に制限されない。例えば、第１ローラ運動器具１００及び第２ローラ運動器具１００’は、使用者の両足の回転に伴って回転し、且つ底部に弾性ロープ６１２を通過させることができる位置決め溝が設けられた如何なる器材に置き換えられてもよいが、本考案はこれに制限されない。
【００５３】
（第７実施形態）
図７Ａ、図７Ｂ及び図７Ｃを参照して説明する。図７Ａは、本考案の一実施形態による運動器具セット７００を示す上面図である。図７Ｂは、図７Ａによる運動器具セット７００を示す側面図である。図７Ｃは、図７Ａによる運動器具セット７００を示す底面図である。本実施形態において、運動器具セット７００は、運動器具３００’と、第１ハンドルセット５１０ａと、第２ハンドルセット５１０ｂと、弾性ロープ５２０と、膝パッド７１０と、を含む。運動器具３００’をハンドル３１０ａ及びハンドル３１０ｂによって第１ハンドルセット５１０ａ及び第２ハンドルセット５１０ｂに組み合わせる形態については、図５Ａ及び図５Ｂの関連説明を参照することができるので、ここで省略する。
【００５４】
膝パッド７１０の底部に、弾性ロープ５２０により巻回されることのできる複数の位置決め柱７１２が設けられる。このように、使用者は、両膝で膝パッド７１０に跪く場合、両手でハンドル３１０ａ及びハンドル３１０ｂを握って跪き姿のローラ運動を行うことができる。また、弾性ロープ５２０により提供された弾力は、使用者が運動器具３００’を引き戻すことを補助することに用いることで、運動の難度及び傷ついたリスクを減少することができる。
【００５５】
（第８実施形態）
図８Ａ、図８Ｂ及び図８Ｃを参照して説明する。図８Ａは、本考案の一実施形態による運動器具セット８００を組み立てる様子の模式図である。図８Ｂは、図８Ａによるハンドル組立てを示す模式図である。図８Ｃは、図８Ａによる組み立てられた運動器具セット８００を示す模式図である。本実施形態において、運動器具セット８００は、ロープ８１０、ハンドル３１０ａ及びハンドル３１０ｂを含む。ロープ８１０の両端に挿入部材８２０ａ及び挿入部材８２０ｂが設けられ、挿入部材８２０ａ及び挿入部材８２０ｂに個別にスナップリング８２２ａ及びスナップリング８２２ｂが設けられる。一実施形態において、スナップリング８２２ａ及びスナップリング８２２ｂは、図３Ａ及び図３Ｂに示すスナップリング３２２ａ及びスナップリング３２２ｂと同じであってよいが、これに制限されない。
【００５６】
図８Ａ及び図８Ｂに示すように、組み合わせられたロープ８１０、ハンドル３１０ａ及びハンドル３１０ｂが縄跳び操作に好適な縄跳び器材のような運動器具セット８００を形成する。このために、ロープ８１０の挿入部材８２０ａ及び挿入部材８２０ｂは個別にハンドル３１０ａのチャンバー及びハンドル３１０ｂのチャンバーに挿入されてよい。且つ、スナップリング８２２ａ及びスナップリング８２２ｂは個別にハンドル３１０ａの係合部及びハンドル３１０ｂの係合部により係合されてよい。
【００５７】
一実施形態において、使用者は、ロープ８１０の挿入部材８２０ａ及び挿入部材８２０ｂをハンドル３１０ａ及びハンドル３１０ｂから取り外しようとする場合、ハンドル３１０ａ及びハンドル３１０ｂにおける着脱ボタン（図示せず）をそれぞれ押す。更にハンドル３１０ａ及びハンドル３１０ｂにおける係合部（図示せず）に係合されたスナップリング８２２ａ及びスナップリング８２２ｂを解除させてよい。
【００５８】
一実施形態において、ハンドル３１０ａ又はハンドル３１０ｂには、ロープ８１０の回転回数を検出することで、使用者が縄を跳ぶ回数を対応的に計算するためのセンサが更に設けられてよい。センサは、例えば、重力センサであってよいが、本考案はこれに制限されない。
【００５９】
（第９実施形態）
図９Ａ及び図９Ｂを参照して説明する。図９Ａは、本考案の一実施形態によるハンドル運動器具９００を示す模式図である。図９Ｂは、図９Ａによるハンドル運動器具９００を示す側面断面図である。本実施形態のハンドル運動器具９００は、以上の各実施形態に言及したハンドル（例えば、ハンドル３１０ａ及びハンドル３１０ｂ）を置き換えることに用いることができるが、以下でその細部を説明する。
【００６０】
図９Ａ及び図９Ｂに示すように、ハンドル運動器具９００は、ハンドル本体９１０、収納空間９２０、係止部９３０及びメスバックル９４０を含む。使用者が容易に握るように、ハンドル本体９１０外に発泡体が被覆されてよい。収納空間９２０は、ハンドル本体９１０の軸方向９５０に沿ってハンドル本体９１０内に設けられ、ハンドル本体９１０の一端に向かう開口９２２を有する。本実施形態において、収納空間９２０は、チャンバーであるが、その他の実施形態において、貫通穴であってもよい。メスバックル９４０は、ハンドル本体９１０の一方の端部の近くに、ハンドル本体９１０の底面９１２に位置する。本実施形態において、メスバックル９４０は、例えば、開口９２２に反対する他端に位置するが、その他の実施形態において、メスバックル９４０及び開口９２２はハンドル本体９１０の同一の端に位置してもよいが、これに制限されない。
【００６１】
係止部９３０は、収納空間９２０内に設けられ、開口９２２から収納空間９２０に挿入されるプリセットアセンブリを係止可能である。本実施形態において、仮に、係止部９３０は、例えば、図３Ａに示す接続ロッド３２０又は図８Ｂに示す挿入部材８２０ａのスナップリング８２２ａを係止することに用いられる。この場合、係止部９３０は係合部９３２を含んでよい。係合部９３２は、開口９２２から収納空間９２０に挿入される接続ロッド３２０のスナップリング３２２ａ又は挿入部材８２０ａのスナップリング８２２ａを係合することに用いられる。それに対応して、ハンドル運動器具９００は、ハンドル本体９１０の頂面９１４に設けられる着脱ボタン９３４を更に含んでよい。且つ、着脱ボタン９３４は、係合部９３２により係合されるプリセットアセンブリ（例えば接続ロッド３２０のスナップリング３２２ａ又は挿入部材８２０ａのスナップリング８２２ａ）を解除する。
【００６２】
ハンドル運動器具９００が図３Ａ〜図３Ｃにおけるハンドル３１０ａ及びハンドル３１０ｂを置き換えることに用いる場合、図９Ｃに示す運動器具９９０を形成することができるが、本考案はこれに制限されない。なお、メスバックル９４０は、図１Ｂに示す第１ローラ運動器具１００のオスバックル１３２ａに係合されることに用いることができ、更に図９Ｄに示す運動器具９９５を形成するが、これに制限されない。
【００６３】
その他の実施形態において、係止部９３０は、プリセットアセンブリの態様に応じてそれを好適に係止する構造に調整されてもよい。
【００６４】
図１０を参照して説明する。図１０は、図９Ａによるハンドル運動器具１０００及び接続ロッド１０５０を示す側面断面図である。本実施形態において、接続ロッド１０５０は、例えば、図３Ａに示す接続ロッド３２０を置き換えることに用いることができる。図１０に示すように、接続ロッド１０５０に係合するためのスナップリングが設けられなく、両端に外部スレッドセグメント１０５２が設けられる。理解すべきなのは、図面を簡単化させるために、図１０において一端の外部スレッドセグメント１０５２だけを示すが、接続ロッド１０５０の他端に位置する外部スレッドセグメントを示さない。
【００６５】
それに対応して、ハンドル運動器具１０００は、ハンドル本体９１０の収納空間９２０の他端に設けられる内部スレッドセグメント１０１０を更に含んでよい。このように、接続ロッド１０５０の一端が収納空間９２０に突きこまれる場合、ハンドル運動器具１０００及び接続ロッド１０５０が互いに合わせる内部スレッドセグメント１０１０及び外部スレッドセグメント１０５２によって螺合される。更に前記実施形態に言及した係止方式と異なる形態を形成する。つまり、図３Ａ、図３Ｂ及び図３Ｃにおいて、ハンドル３１０ａ及びハンドル３１０ｂは、ハンドル運動器具１０００に置き換えられてもよい以外、接続ロッド３２０は対応的に接続ロッド１０５０に置き換えられてもよいが、本考案はこれに制限されない。
【００６６】
以上のように、本考案が提案したハンドル運動器具は、例えば、ローラ運動器具、プルロープ及び膝パッド等の異なる器材に合わせて多樣化の運動器具セットを組成することができる。また、使用者が簡単に組み立てるだけで運動の方式を変えることができるため、本考案のハンドル運動器具は、多くの変更性を提供する前提で、使用者の運動意志を効果的に向上させて、使用者の運動効果を改善することができる。
【符号の説明】
【００６７】
１００  第１ローラ運動器具
１００’  第２ローラ運動器具
１１０  ベース
１１２  第１中央貫通穴
１１４、２１６、９１２  底面
１１４ａ  位置決め溝
１２０  回転盤
１２２  第２中央貫通穴
１２４、２１４、９１４  頂面
１３０ａ、１３０ｂ  サポートシート
１３２ａ、１３２ａ’、１３２ｂ  オスバックル
１３４  解除ボタン
１４０ａ、１４０ａ’、１４０ｂ、１４０ｂ’、２５０ａ、２５０ｂ、３１２ａ、３１２ｂ、９４０  メスバックル
１５０  踏み部
２００、９００、１０００  ハンドル運動器具
２１０  ハンドル本体
２１２、９５０  軸方向
２２０  チャンバー
２２２、９２２  開口
２３０、９３２  係合部
２４０、９３４  着脱ボタン
３００  ローラ運動器具
３００’、４１０、４２０、９９０、９９５  運動器具
３１０ａ、３１０ｂ  ハンドル
３２０、１０５０  接続ロッド
３２２ａ、３２２ｂ、８２２ａ、８２２ｂ  スナップリング
３２４ａ、３２４ｂ  挿入部材
４００、６００  ローラ運動器具セット
５００、７００、８００  運動器具セット
５１０ａ  第１ハンドルセット
５１２ａ、５１２ａ’  貫通穴
５１０ｂ  第２ハンドルセット
５２０、６１２  弾性ロープ
６１０  プルロープ
６１４ａ、６１４ｂ  グリップ部
７１０  膝パッド
７１２  位置決め柱
８１０  ロープ
８２０ａ、８２０ｂ  挿入部材
９１０  ハンドル本体
９２０  収納空間
９３０  係止部
１０１０  内部スレッドセグメント
１０５２  外部スレッドセグメント
Ｄ１  第１直径
Ｄ２  第２直径
ＤＤ  プリセット距離
Ｎ１  法線方向
【図１Ａ】
0003215130.tif 000003
【図１Ｂ】
0003215130.tif 000004
【図１Ｃ】
0003215130.tif 000005
【図２Ａ】
0003215130.tif 000006
【図２Ｂ】
0003215130.tif 000007
【図２Ｃ】
0003215130.tif 000008
【図３Ａ】
0003215130.tif 000009
【図３Ｂ】
0003215130.tif 000010
【図３Ｃ】
0003215130.tif 000011
【図４Ａ】
0003215130.tif 000012
【図４Ｂ】
0003215130.tif 000013
【図４Ｃ】
0003215130.tif 000014
【図５Ａ】
0003215130.tif 000015
【図５Ｂ】
0003215130.tif 000016
【図６Ａ】
0003215130.tif 000017
【図６Ｂ】
0003215130.tif 000018
【図７Ａ】
0003215130.tif 000019
【図７Ｂ】
0003215130.tif 000020
【図７Ｃ】
0003215130.tif 000021
【図８Ａ】
0003215130.tif 000022
【図８Ｂ】
0003215130.tif 000023
【図８Ｃ】
0003215130.tif 000024
【図９Ａ】
0003215130.tif 000025
【図９Ｂ】
0003215130.tif 000026
【図９Ｃ】
0003215130.tif 000027
【図９Ｄ】
0003215130.tif 000028
【図１０】
0003215130.tif 000029